(57)【要約】【課題】この発明は、一旦操作キーに割り当てた機能については、操作キーに再度割り当てる際に最初の割り当て時と同じ操作を行なう必要をなくして操作の容易化を図り、ユーザにとっての取り扱いを便利にし得るようにした入力操作支援装置及び入力操作支援方法を提供することを目的としている。【解決手段】操作キー（２７ｌ〜２７ｎ）に登録された機能を示す情報を、当該機能の操作キー（２７ｌ〜２７ｎ）に対する登録解除の有無に関わらず保持する保持手段（２５ｂ，２５ｃ）と、保持された情報に基づいて操作キー（２７ｌ〜２７ｎ）に登録された機能の一覧を表示する表示手段（２２）と、表示された機能の一覧から所定の機能を選択して操作キー（２７ｌ〜２７ｎ）に再登録させる支援手段（２５ｃ）とを備える。【選択図】    図１
2011061625.tif 000002
【特許請求の範囲】
【請求項１】
被制御機器が実行可能な機能を操作キーに登録し、当該操作キーを操作してその登録された機能を前記被制御機器に実行させる入力操作支援装置であって、
前記操作キーに登録された機能を示す情報を、当該機能の前記操作キーに対する登録解除の有無に関わらず保持する保持手段と、
前記保持手段に保持された情報に基づいて前記操作キーに登録された機能の一覧を表示する表示手段と、
前記表示手段に表示された機能の一覧から所定の機能を選択して前記操作キーに再登録させる支援手段とを具備することを特徴とする入力操作支援装置。
【請求項２】
前記表示手段は、前記操作キーに対する現在の機能の登録状態も表示することを特徴とする請求項１記載の入力操作支援装置。
【請求項３】
前記表示手段は、一覧表示された機能に対応させてその実行回数を表示することを特徴とする請求項１記載の入力操作支援装置。
【請求項４】
前記表示手段は、実行回数の多い順に機能を一覧表示することを特徴とする請求項１記載の入力操作支援装置。
【請求項５】
前記表示手段は、前記操作キーに対する機能の登録を解除するための項目を表示することを特徴とする請求項１記載の入力操作支援装置。
【請求項６】
前記表示手段は、一覧表示された機能に対応させてその実行回数を表示しており、所定期間実行回数に変化のない機能については、その機能の実行回数を所定の値に変更することを特徴とする請求項１記載の入力操作支援装置。
【請求項７】
前記表示手段は、所定期間実行回数に変化のない機能については、その機能の実行回数を実際の回数よりも少ない値に変更することを特徴とする請求項６記載の入力操作支援装置。
【請求項８】
前記保持手段は、少なくとも、機能の機能名と、その機能に対応する機能画面を表示させるための情報の記録先を示すアドレスと、その機能の実行回数とを対応付けて保持することを特徴とする請求項１記載の入力操作支援装置。
【請求項９】
被制御機器が実行可能な機能を操作キーに登録し、当該操作キーを操作してその登録された機能を前記被制御機器に実行させる入力操作支援方法であって、
前記操作キーに登録された機能を示す情報を、当該機能の前記操作キーに対する登録解除の有無に関わらず保持する工程と、
保持された情報に基づいて前記操作キーに登録された機能の一覧を表示する工程と、
表示された機能の一覧から所定の機能を選択して前記操作キーに再登録させる工程とを有することを特徴とする入力操作支援方法。
【発明の詳細な説明】
【技術分野】
【０００１】
この発明は、例えばＡＶ（audio visual）機器等に代表される被制御機器に各種の機能を実行させるための入力操作を支援する入力操作支援装置及び入力操作支援方法の改良に関する。
【背景技術】
【０００２】
周知のように、近年、例えばテレビジョン放送受信機器、映像記録再生機器、ＰＣ（personal computer）のようなＡＶ機器等に代表される被制御機器にあっては、搭載される機能が豊富で多様化してきたことに伴ない、特定の機能を実行させるためにユーザが行なうキー操作が複雑で煩雑になってきている。
【０００３】
このため、現在では、例えば特許文献１に示されるように、被制御機器が実行する所定の機能をリモートコントロール送信機の操作ボタンに割り当てることにより、以後、その操作ボタンを操作するだけで、被制御機器に所定の機能を実行させることができるようにして、操作の簡易化を図る技術が開発されている。
【０００４】
しかしながら、このようにして操作の簡易化を図る技術は、まだまだ開発途上にある段階であり、細部に亘って開発の余地が多々残されている。例えば、一旦操作ボタンに割り当てた後、割り当てを解除した機能を、再び操作ボタンに割り当てる場合には、最初に割り当てたときと同じ操作手順を踏む必要があり操作が煩雑になっている。
【先行技術文献】
【特許文献】
【０００５】
【特許文献１】特開２０００−１９７１６２号公報
【発明の概要】
【発明が解決しようとする課題】
【０００６】
そこで、この発明は上記事情を考慮してなされたもので、一旦操作キーに割り当てた機能については、操作キーに再度割り当てる際に最初の割り当て時と同じ操作を行なう必要をなくして操作の容易化を図り、ユーザにとっての取り扱いを便利にし得るようにした入力操作支援装置及び入力操作支援方法を提供することを目的とする。
【課題を解決するための手段】
【０００７】
すなわち、この発明に係る入力操作支援装置は、被制御機器が実行可能な機能を操作キーに登録し、当該操作キーを操作してその登録された機能を被制御機器に実行させるものを対象としている。そして、操作キーに登録された機能を示す情報を、当該機能の操作キーに対する登録解除の有無に関わらず保持する保持手段と、保持手段に保持された情報に基づいて操作キーに登録された機能の一覧を表示する表示手段と、表示手段に表示された機能の一覧から所定の機能を選択して操作キーに再登録させる支援手段とを備えるようにしたものである。
【０００８】
また、この発明に係る入力操作支援方法は、被制御機器が実行可能な機能を操作キーに登録し、当該操作キーを操作してその登録された機能を前記被制御機器に実行させる方法を対象としている。そして、操作キーに登録された機能を示す情報を、当該機能の操作キーに対する登録解除の有無に関わらず保持する工程と、保持された情報に基づいて操作キーに登録された機能の一覧を表示する工程と、表示された機能の一覧から所定の機能を選択して操作キーに再登録させる工程とを有するようにしたものである。
【発明の効果】
【０００９】
上記した発明によれば、操作キーに登録された機能を示す情報を保持しておき、操作キーに登録された機能の一覧から所定の機能を選択して操作キーに再登録させるようにしたので、一旦操作キーに割り当てた機能については、操作キーに再度割り当てる際に最初の割り当て時と同じ操作を行なう必要をなくして操作の容易化を図り、ユーザにとっての取り扱いを便利にすることができる。
【図面の簡単な説明】
【００１０】
【図１】この発明の実施の形態を示すもので、映像記録再生機器の信号処理系を説明するために示すブロック構成図。
【図２】同実施の形態における映像記録再生機器のリモートコントローラを説明するために示す外観図。
【図３】同実施の形態における映像記録再生機器で表示される機能登録画面の一例を説明するために示す図。
【図４】同実施の形態における映像記録再生機器で表示される登録方法選択画面の一例を説明するために示す図。
【図５】同実施の形態における映像記録再生機器で表示されるテンプレート１選択画面の一例を説明するために示す図。
【図６】同実施の形態における映像記録再生機器で表示される機能画面の一例を説明するために示す図。
【図７】同実施の形態における映像記録再生機器で表示されるカスタマイズ１選択画面の一例を説明するために示す図。
【図８】同実施の形態における映像記録再生機器で表示されるサブ機能選択画面の一例を説明するために示す図。
【図９】同実施の形態における映像記録再生機器で表示される機能画面の他の例を説明するために示す図。
【図１０】同実施の形態における映像記録再生機器で表示されるオプション選択画面の一例を説明するために示す図。
【図１１】同実施の形態における映像記録再生機器で表示される機能画面のさらに他の例を説明するために示す図。
【図１２】同実施の形態における映像記録再生機器で表示される機能画面のさらに他の例を説明するために示す図。
【図１３】同実施の形態における映像記録再生機器で表示される機能画面のさらに他の例を説明するために示す図。
【図１４】同実施の形態における映像記録再生機器で行なわれる機能登録の処理動作の一例を説明するために示すフローチャート。
【図１５】同実施の形態における映像記録再生機器で機能キーの操作時に表示される画面の一例を説明するために示す図。
【図１６】同実施の形態における映像記録再生機器で行なわれる機能キー操作時の処理動作の一例を説明するために示すフローチャート。
【図１７】同実施の形態における映像記録再生機器で作成される機能管理テーブルの一例を説明するために示す図。
【図１８】同実施の形態における映像記録再生機器で行なわれる機能管理テーブルを作成する処理動作の一例を説明するために示すフローチャート。
【図１９】同実施の形態における映像記録再生機器で作成される登録管理テーブルの一例を説明するために示す図。
【図２０】同実施の形態における映像記録再生機器で表示される機能選択画面の一例を説明するために示す図。
【図２１】同実施の形態における映像記録再生機器で行なわれる機能再登録の処理動作の一例を説明するために示すフローチャート。
【図２２】この発明の他の実施の形態を示すもので、携帯電話に適用した場合の一例を説明するために示す図。
【発明を実施するための最良の形態】
【００１１】
以下、この発明の実施の形態について図面を参照して詳細に説明する。図１は、この実施の形態で説明する被制御機器として映像記録再生機器１１の信号処理系を示している。この映像記録再生機器１１は、音声を含む映像情報を記録再生する他、デジタルテレビジョン放送を受信することができる。
【００１２】
すなわち、アンテナ１２で受信したデジタルテレビジョン放送信号は、入力端子１３を介してチューナ部１４に供給されることにより、所望のチャンネルの放送信号が選局される。そして、このチューナ部１４で選局された放送信号は、復調復号部１５に供給されてデジタルの映像信号及び音声信号等に復元された後、信号処理部１６に出力される。
【００１３】
この信号処理部１６は、復調復号部１５から供給されたデジタルの映像信号及び音声信号に対してそれぞれ所定のデジタル信号処理を施している。そして、この信号処理部１６は、デジタルの映像信号をグラフィック処理部１７に出力し、デジタルの音声信号を音声処理部１８に出力している。
【００１４】
このうち、グラフィック処理部１７は、信号処理部１６から供給されるデジタルの映像信号に、ＯＳＤ（on screen display）信号生成部１９で生成されるＯＳＤ信号を重畳して出力している。そして、グラフィック処理部１７から出力されたデジタルの映像信号は、映像処理部２０に供給される。
【００１５】
この映像処理部２０は、入力されたデジタルの映像信号を、後段の、例えば液晶表示パネル等を有する平面型の映像表示部２２で表示可能なフォーマットのアナログ映像信号に変換している。そして、この映像処理部２０から出力されたアナログ映像信号が、出力端子２１を介して映像表示部２２に供給されて映像表示に供される。
【００１６】
また、上記音声処理部１８は、入力されたデジタルの音声信号を、後段のスピーカ２４で再生可能なフォーマットのアナログ音声信号に変換している。そして、この音声処理部１８から出力されたアナログ音声信号が、出力端子２３を介してスピーカ２４に供給されて音声再生に供される。
【００１７】
ここで、この映像記録再生機器１１は、上記した各種の受信動作を含むその全ての動作を制御部２５によって統括的に制御されている。この制御部２５は、ＣＰＵ（central processing unit）２５ａを内蔵しており、映像記録再生機器１１の本体に設置された操作部２６からの操作情報を受けて、または、リモートコントローラ２７から送出され受信部２８で受信した操作情報を受けて、その操作内容が反映されるように各部をそれぞれ制御している。
【００１８】
この場合、制御部２５は、メモリ部２５ｂを利用している。このメモリ部２５ｂは、主として、ＣＰＵ２５ａが実行する制御プログラムを格納したＲＯＭ（read only memory）と、該ＣＰＵ２５ａに作業エリアを提供するためのＲＡＭ（random access memory）と、各種の設定情報及び制御情報等が格納される不揮発性メモリとを有している。
【００１９】
また、この制御部２５には、ディスクドライブ部２９が接続されている。このディスクドライブ部２９は、例えばＤＶＤ（digital versatile disk）等の光ディスク３０を着脱自在とするもので、装着された光ディスク３０に対してデジタルデータの記録再生を行なう機能を有している。
【００２０】
そして、上記制御部２５は、ユーザによる操作部３５やリモートコントローラ３６の操作に基づいて、上記復調復号部１５から得られるデジタルの映像信号及び音声信号を、記録再生処理部３１によって暗号化や所定の記録フォーマットに変換した後、ディスクドライブ部２９に供給して光ディスク３０に記録させるように制御することができる。
【００２１】
また、この制御部２５は、ユーザによる操作部３５やリモートコントローラ３６の操作に基づいて、ディスクドライブ部２９により光ディスク３０からデジタルの映像信号及び音声信号を読み出させ、上記記録再生処理部３１によって復号化した後、信号処理部１６に供給することによって、以後、上記した映像表示及び音声再生に供させるように制御することができる。
【００２２】
さらに、この制御部２５には、ＨＤＤ（hard disk drive）３２が接続されている。この制御部２５は、ユーザによる操作部３５やリモートコントローラ３６の操作に基づいて、上記復調復号部１５から得られるデジタルの映像信号及び音声信号を、記録再生処理部３１によって暗号化や所定の記録フォーマットに変換した後、ＨＤＤ３２に供給してハードディスク３２ａに記録させるように制御することができる。
【００２３】
また、この制御部２５は、ユーザによる操作部３５やリモートコントローラ３６の操作に基づいて、ＨＤＤ２９によりハードディスク３２ａからデジタルの映像信号及び音声信号を読み出させ、上記記録再生処理部３１によって復号化した後、信号処理部１６に供給することによって、以後、上記した映像表示及び音声再生に供させるように制御することができる。
【００２４】
さらに、上記記録再生処理部３１には、入力端子３３が接続されている。この入力端子３３は、記録再生装置１１の外部からデジタルの映像信号及び音声信号を直接入力するためのものである。この入力端子３３を介して入力されたデジタルの映像信号及び音声信号は、制御部２５の制御に基づいて、記録再生処理部３１を介した後、信号処理部１６に供給されて、以後、上記した映像表示及び音声再生に供される。
【００２５】
また、この入力端子３３を介して入力されたデジタルの映像信号及び音声信号は、制御部２５の制御に基づいて、記録再生処理部３１を介した後、ディスクドライブ部２９による光ディスク３０に対しての記録再生や、ＨＤＤ３２によるハードディスク３２ａに対しての記録再生に供される。
【００２６】
ここにおいて、上記制御部２５は、入力操作支援部２５ｃを備えている。この入力操作支援部２５ｃは、詳細は後述するが、映像記録再生機器１１が実行する所定の機能をリモートコントローラ２７の所定の操作キーに割り当てる場合、ユーザの入力操作が容易化されるように支援している。
【００２７】
図２は、上記リモートコントローラ２７の外観を示している。このリモートコントローラ２７には、主として、電源キー２７ａ、放送チャンネルをダイレクト選局する数字キー群２７ｂ、メニューキー２７ｃ、戻るキー２７ｄ、カーソル上キー２７ｅ、カーソル下キー２７ｆ、カーソル左キー２７ｇ、カーソル右キー２７ｈ、決定キー２７ｉ、終了キー２７ｊ、登録キー２７ｋ、複数（図示の場合は３つ）の機能キー２７ｌ，２７ｍ，２７ｎ等が設けられている。
【００２８】
また、このリモートコントローラ２７には、上記ディスクドライブ部２９やＨＤＤ３２に対して機能する、再生キー２７ｏ、早戻しキー２７ｐ、早送りキー２７ｑ、停止キー２７ｒ、記録キー２７ｓ、一時停止キー２７ｔ等が設けられている。
【００２９】
ここで、上記リモートコントローラ２７の３つの機能キー２７ｌ〜２７ｎには、映像記録再生機器１１が実行する各種の機能を１つずつ割り当てることができる。この機能キー２７ｌ〜２７ｎへの機能の割り当てを行なう場合、ユーザは、リモートコントローラ２７のメニューキー２７ｃを操作して、階層構造となされたメニュー画面に分け入ることにより、図３に一例を示すような機能登録画面３４を映像表示部２２に表示させる。
【００３０】
この機能登録画面３４は、各機能キー２７ｌ〜２７ｎに対応した３つの項目「機能キー１」，「機能キー２」，「機能キー３」を表示している。そして、ユーザが、リモートコントローラ２７のカーソル上または下キー２７ｅ，２７ｆを操作して所望の項目を選択し、決定キー２７ｉを操作することにより、機能を割り当てる（登録する）機能キー２７ｌ〜２７ｎが決定される。
【００３１】
今、例として、「機能キー１」の項目、つまり、機能キー２７ｌが決定されると、上記入力操作支援部２５ｃは、図４に一例を示すような登録方法選択画面３５を映像表示部２２に表示させる。この登録方法選択画面３５は、先に決定された機能キー２７ｌに割り当てる機能を設定するために、６つの項目「テンプレート１」，「テンプレート２」，「カスタマイズ１」，「カスタマイズ２」，「マクロ登録１」，「マクロ登録２」を表示している。これらの項目は、ユーザが、リモートコントローラ２７のカーソル上または下キー２７ｅ，２７ｆを操作して所望の項目を選択し、決定キー２７ｉを操作することにより決定される。
【００３２】
例えば、登録方法選択画面３５で「テンプレート１」の項目が決定されると、上記入力操作支援部２５ｃは、図５に一例を示すようなテンプレート１選択画面３６を映像表示部２２に表示させる。このテンプレート１選択画面３６は、テンプレート１として予め用意されている複数の機能を示す「毎日録画最新タイトル表示再生」，「毎週録画最新タイトル表示再生」等の項目を表示している。これらの項目は、ユーザが、リモートコントローラ２７のカーソル上または下キー２７ｅ，２７ｆを操作して所望の項目を選択し、決定キー２７ｉを操作することにより決定される。
【００３３】
この場合、例として、「毎日録画最新タイトル表示再生」の項目が決定されると、上記入力操作支援部２５ｃは、図６に一例を示すような「毎日録画最新タイトル表示再生」に対応する機能画面３７を映像表示部２２に表示させる。そして、この機能画面３７の表示されている状態で、ユーザがリモートコントローラ２７の決定キー２７ｉを操作することにより、機能キー２７ｌに「毎日録画最新タイトル表示再生」なる機能が割り当てられ、ここに、テンプレートを用いた機能キー２７ｌへの機能登録が行なわれることになる。
【００３４】
また、上記登録方法選択画面３５で「カスタマイズ１」の項目が決定されると、上記入力操作支援部２５ｃは、図７に一例を示すようなカスタマイズ１選択画面３８を映像表示部２２に表示させる。このカスタマイズ１選択画面３８は、ユーザが機能キー２７ｌに登録する機能画面を作成するために、カスタマイズ１として予め用意されている複数の機能を示す「機能１」，「機能２」，「機能３」等の項目を表示している。これらの項目は、ユーザが、リモートコントローラ２７のカーソル上または下キー２７ｅ，２７ｆを操作して所望の項目を選択し、決定キー２７ｉを操作することにより決定される。
【００３５】
そして、例えば、カスタマイズ１選択画面３８で「機能１」の項目が決定されると、上記入力操作支援部２５ｃは、図８に一例を示すようなサブ機能選択画面３９を映像表示部２２に表示させる。このサブ機能選択画面３９は、ユーザの選択した「機能１」に付随するサブ機能を選択するもので、「完了」の項目と、複数のサブ機能を示す「サブ機能１」，「サブ機能２」等の項目とを表示している。これらの項目は、ユーザが、リモートコントローラ２７のカーソル上または下キー２７ｅ，２７ｆを操作して所望の項目を選択し、決定キー２７ｉを操作することにより決定される。
【００３６】
このサブ機能選択画面３９で「完了」の項目が決定されると、上記入力操作支援部２５ｃは、カスタマイズ１選択画面３８で決定した「機能１」に対応する、図９に一例を示すような機能画面４０を映像表示部２２に表示させる。そして、この機能画面４０の表示されている状態で、ユーザがリモートコントローラ２７の決定キー２７ｉを操作することにより、機能キー２７ｌに「機能１」なる機能が割り当てられることになる。
【００３７】
また、上記サブ機能選択画面３９で「サブ機能１」の項目が決定されると、上記入力操作支援部２５ｃは、図１０に一例を示すようなオプション選択画面４１を映像表示部２２に表示させる。このオプション選択画面４１は、ユーザの選択した「サブ機能１」に付随するオプション機能を選択するもので、「完了」の項目と、複数のオプション機能を示す「オプション１」，「オプション２」等の項目とを表示している。これらの項目は、ユーザが、リモートコントローラ２７のカーソル上または下キー２７ｅ，２７ｆを操作して所望の項目を選択し、決定キー２７ｉを操作することにより決定される。
【００３８】
そして、このオプション選択画面４１で「完了」の項目が決定されると、上記入力操作支援部２５ｃは、サブ機能選択画面３９で決定した「サブ機能１」に対応する、図１１に一例を示すような機能画面４２を映像表示部２２に表示させる。そして、この機能画面４２の表示されている状態で、ユーザがリモートコントローラ２７の決定キー２７ｉを操作することにより、機能キー２７ｌに「機能１」なる機能が割り当てられることになる。
【００３９】
また、上記オプション選択画面４１で「オプション１」の項目が決定されると、上記入力操作支援部２５ｃは、図１２に一例を示すような「オプション１」に対応する機能画面４３を映像表示部２２に表示させる。この機能画面４３の表示されている状態で、ユーザがリモートコントローラ２７の決定キー２７ｉを操作することにより、機能キー２７ｌに「機能１」なる機能が割り当てられ、ここに、ユーザの作成した機能画面の機能キー２７ｌへの登録が行なわれることになる。
【００４０】
さらに、上記登録方法選択画面３５で「マクロ登録１」の項目が決定されると、上記入力操作支援部２５ｃは、マクロ登録モードとなる。このマクロ登録モードでは、ユーザが種々の操作を行なって作成し映像表示部２２に表示された、図１３に一例を示すような機能画面４４を、ユーザがリモートコントローラ２７の登録キー２７ｋを操作することにより、機能キー２７ｌに割り当てることができる。
【００４１】
図１４は、上記した映像記録再生機器１１が実行する各種の機能を、機能キー（この場合、機能キー２７ｌ）に割り当てる処理動作をまとめたフローチャートを示している。すなわち、処理が開始（ステップＳ１４ａ）されると、入力操作支援部２５ｃは、ステップＳ１４ｂで、映像表示部２２に機能画面が表示されたか否かを判別する。
【００４２】
そして、機能画面が表示されたと判断された場合（ＹＥＳ）、入力操作支援部２５ｃは、ステップＳ１４ｃで、その表示された機能画面を機能キーに登録する操作が行なわれたか否か、つまり、リモートコントローラ２７の決定キー２７ｉや登録キー２７ｋが操作されたか否かを判別する。
【００４３】
ここにおいて、機能画面を機能キー２７ｌに登録する操作が行なわれたと判断された場合（ＹＥＳ）、入力操作支援部２５ｃは、ステップＳ１４ｄで、その登録が可能であるか否かを判別する。そして、登録が可能であると判断された場合（ＹＥＳ）、入力操作支援部２５ｃは、ステップＳ１４ｅで、映像表示部２２に表示された機能画面を機能キー２７ｌに登録し、処理を終了（ステップＳ１４ｇ）する。
【００４４】
また、上記ステップＳ１４ｄで、登録が不可能であると判断された場合（ＮＯ）、入力操作支援部２５ｃは、ステップＳ１４ｆで、機能画面を機能キー２７ｌに登録することができない旨を示すエラーメッセージを映像表示部２２に表示させて、処理を終了（ステップＳ１４ｇ）する。
【００４５】
次に、上記のようにして、各機能キー２７ｌ〜２７ｎにそれぞれ機能が登録されると、以後、上記制御部２５は、機能キー２７ｌ〜２７ｎが操作されるだけで、登録されている機能画面を映像表示部２２に表示させるように動作する。例えば、機能キー２７ｌが操作されると、図１５（ａ）に一例を示すように、この機能キー２７ｌに登録されている機能画面を映像表示部２２に表示させるように動作する。
【００４６】
また、各機能キー２７ｌ〜２７ｎのうち機能が登録されていない機能キーや、現状では実行不可能な機能が登録されている機能キーが操作された場合、上記制御部２５は、図１５（ｂ）に一例を示すように、機能を実行することができない旨を示すエラーメッセージを映像表示部２２に表示させるように動作する。
【００４７】
図１６は、いずれかの機能キー２７ｌ〜２７ｎが操作されたときの処理動作をまとめたフローチャートを示している。すなわち、処理が開始（ステップＳ１６ａ）されると、制御部２５は、ステップＳ１６ｂで、いずれかの機能キー（この場合、機能キー２７ｌ）が操作されたか否かを判別する。
【００４８】
そして、機能キー２７ｌが操作されたと判断された場合（ＹＥＳ）、制御部２５は、ステップＳ１６ｃで、その機能キー２７ｌに登録されている機能が現状で実行可能か否かを、機能キー２７ｌに機能が登録されているか否かも含めて判別する。
【００４９】
ここで、機能キー２７ｌに機能が登録されており、その機能が現状で実行可能であると判断された場合（ＹＥＳ）、制御部２５は、ステップＳ１６ｄで、その機能に対応する機能画面を映像表示部２２に表示させて、処理を終了（ステップＳ１６ｆ）する。
【００５０】
また、上記ステップＳ１６ｃで機能キー２７ｌに機能が登録されていない、または、登録された機能が現状で実行不可能であると判断された場合（ＮＯ）、制御部２５は、ステップＳ１６ｅで、機能を実行することができない旨を示すエラーメッセージを映像表示部２２に表示させて、処理を終了（ステップＳ１６ｆ）する。
【００５１】
以上に述べた構成及び動作によれば、映像記録再生機器１１が実行する各種の機能を機能キー２７ｌ〜２７ｎに登録することにより、以後、機能キー２７ｌ〜２７ｎを操作するだけで、その機能キーに登録された機能画面を映像表示部２２に表示させることができるようにしたので、操作の簡易化を図ることができるようになる。
【００５２】
ところで、上記した映像記録再生機器１１が実行する各種の機能を機能キー２７ｌ〜２７ｎに登録する手段では、一旦機能キー２７ｌ〜２７ｎに登録した後、その登録を解除した機能について、再び機能キー２７ｌ〜２７ｎに登録する場合、最初に登録したときと同じ操作手順をユーザが踏む必要があり操作が煩雑になっている。
【００５３】
そこで、この実施の形態では、一旦機能キー２７ｌ〜２７ｎに登録したことのある機能については、現在、その機能の機能キー２７ｌ〜２７ｎへの登録が解除されているか否かに関わらず、ライブラリとして保持するようにしている。
【００５４】
そして、一旦機能キー２７ｌ〜２７ｎに登録されたことのある機能については、ライブラリの中から選択して機能キー２７ｌ〜２７ｎに再登録することができるようにすることにより、再登録時に、最初の登録時と同じ操作を行なう必要をなくして操作の容易化を図り、ユーザにとっての取り扱いを便利にするようにしている。
【００５５】
具体的に言えば、上記入力操作支援部２５ｃは、映像記録再生機器１１が実行可能な各種の機能のうち、機能キー２７ｌ〜２７ｎに一旦登録したことのある機能については、現在、その登録が解除されているか否かに関わらず、その機能をライブラリとして保持するようにしている。
【００５６】
また、上記入力操作支援部２５ｃは、ライブラリとして保持させた各機能について、それぞれ実行される毎に回数をカウントし、そのカウント値（実行回数）を機能に対応させて保持するようにしている。そして、機能キー２７ｌ〜２７ｎに再登録する機能をライブラリの中から選択させる際に、実行回数の多い順に機能を並べて、ユーザが選択し易くしている。
【００５７】
図１７は、ライブラリとして保持された機能とその実行回数とを対応させた機能管理テーブルの一例を示している。この機能管理テーブルは、入力操作支援部２５ｃ内の図示しない記憶手段に保持されることも可能であるし、上記制御部２５のメモリ部２５ｂ内に保持されることも可能であり、保存場所は必要に応じて適宜設定可能である。
【００５８】
すなわち、この機能管理テーブルは、機能キー２７ｌ〜２７ｎに登録されたことのある機能の機能名を示す項目４５ａと、その機能の動作内容及び機能画面を示す項目４５ｂと、その機能画面の記録されているアドレスを示す項目４５ｃと、その機能の実行回数を示す項目４５ｄとが対応付けられた構成となっている。
【００５９】
図１８は、上記入力操作支援部２５ｃが機能管理テーブルを作成する処理動作をまとめたフローチャートを示している。すなわち、処理が開始（ステップＳ１８ａ）されると、入力操作支援部２５ｃは、ステップＳ１８ｂで、映像記録再生機器１１に対していずれかの機能の実行が要求されたか否かを判別する。
【００６０】
そして、要求されていないと判断された場合（ＮＯ）、入力操作支援部２５ｃは、処理を終了（ステップＳ１８ｉ）する。また、上記ステップＳ１８ｂで機能の実行が要求されたと判断された場合（ＹＥＳ）、入力操作支援部２５ｃは、ステップＳ１８ｃで、その要求された機能を制御部２５を介して実行させる。
【００６１】
その後、入力操作支援部２５ｃは、ステップＳ１８ｄで、先に実行した機能が既に上記機能管理テーブルに記述されているか否かを判別する。そして、既に記述されていると判断された場合（ＹＥＳ）、入力操作支援部２５ｃは、ステップＳ１８ｅで、機能管理テーブル内の対応する機能の実行回数を＋１とする。
【００６２】
そして、入力操作支援部２５ｃは、ステップＳ１８ｆで、予め設定された所定期間が経過するまで、その機能に対する実行回数に変化がなかった場合、その機能の実行回数を予め設定された値に強制的に変更して、処理を終了（ステップＳ１８ｉ）する。このステップＳ１８ｆの処理は、所定期間使用されない機能に対しては実行回数を減らし、再登録時にライブラリの中での出現順序が後になるようにして、ユーザの選択を容易化させるように考慮している。
【００６３】
また、上記ステップＳ１８ｄで先に実行した機能が上記機能管理テーブルに記述されていないと判断された場合（ＮＯ）、入力操作支援部２５ｃは、ステップＳ１８ｇで、その機能をいずれかの機能キー２７ｌ〜２７ｎに登録するか否かを判別し、登録しないと判断された場合（ＮＯ）、処理を終了（ステップＳ１８ｉ）する。
【００６４】
また、上記ステップＳ１８ｇで機能を登録すると判断された場合（ＹＥＳ）、入力操作支援部２５ｃは、ステップＳ１８ｈで、その機能をいずれかの機能キー２７ｌ〜２７ｎに登録して、処理を終了（ステップＳ１８ｉ）する。このステップＳ１８ｈの処理は、先に図３〜図１４を用いて説明した手法で行なわれる。
【００６５】
この場合、入力操作支援部２５ｃは、その登録された機能の機能名と、その機能の動作内容及び機能画面と、その機能画面の記録されているアドレスとを示す各情報を、上記機能管理テーブルの対応する項目４５ａ〜４５ｃに追加するとともに、その機能の実行回数を示す項目４５ｄに「１」を記述する。
【００６６】
このように、いずれかの機能キー２７ｌ〜２７ｎに一旦登録され、既に機能管理テーブルに記述されている機能については、その機能が実行される毎に、その実行回数が増加される。また、いずれの機能キー２７ｌ〜２７ｎにも登録されたことがなく、機能管理テーブルに記述されていない機能については、その機能が実行されいずれかの機能キー２７ｌ〜２７ｎに登録されたときに、機能管理テーブルに追加されるようになる。
【００６７】
図１９は、リモートコントローラ２７の機能キー２７ｌ〜２７ｎと、それに登録された機能とを対応させた登録管理テーブルの一例を示している。この登録管理テーブルも、入力操作支援部２５ｃ内の図示しない記憶手段に保持されることも可能であるし、上記制御部２５のメモリ部２５ｂ内に保持されることも可能であり、保存場所は必要に応じて適宜設定可能である。
【００６８】
すなわち、この登録管理テーブルは、機能キー２７ｌ〜２７ｎを示す項目４６ａと、その機能キー２７ｌ〜２７ｎのキーコードを示す項目４６ｂと、機能キー２７ｌ〜２７ｎに登録されたことのある機能の機能名を示す項目４６ｃと、その機能の動作内容及び機能画面を示す項目４６ｄと、その機能画面の記録されているアドレスを示す項目４６ｅと、その機能の実行回数を示す項目４６ｆとが対応付けられた構成となっている。
【００６９】
図１９に示した登録管理テーブルでは、機能１が機能キー２７ｌに登録され、機能４が機能キー２７ｍに登録され、他の機能２，３，５，６は機能キーに登録されていない未設定状態であることを示している。また、機能キー２７ｎは登録が解除されて、いずれの機能も割り当てられていない状態である。さらに、各機能１〜６は、実行回数の多い順に並べられている。
【００７０】
そして、例えば、リモートコントローラ２７の機能キー２７ｌが操作されると、制御部２５は、この登録管理テーブルを参照して、機能画面アドレス「ａａａａａ」から機能１に対応するサブ機能画面１を表示させるための情報を読み出し、映像表示部２２にサブ機能画面１を表示させることができる。
【００７１】
なお、機能キー２７ｌ〜２７ｎに対して機能の登録や解除が行なわれた場合には、それに対応して、登録管理テーブルの内容が更新されることはもちろんである。
【００７２】
ここにおいて、一旦機能キー２７ｌ〜２７ｎに登録し、その後、登録を解除した機能について、再び機能キー２７ｌ〜２７ｎに登録する場合について説明する。この場合、ユーザは、リモートコントローラ２７のメニューキー２７ｃを操作して、階層構造となされたメニュー画面に分け入ることにより、図２０に一例を示すような機能選択画面４７を映像表示部２２に表示させる。
【００７３】
この機能選択画面４７は、上記入力操作支援部２５ｃが図１９に示した登録管理テーブルを参照して作成するもので、ライブラリとして保持した機能の一覧を示している。すなわち、この機能選択画面４７には、機能キー２７ｌ〜２７ｎを示す項目４７ａと、その機能キー２７ｌ〜２７ｎに登録された機能の機能名を示す項目４７ｂと、その機能の動作内容及び機能画面を示す項目４７ｃと、その機能の実行回数を示す項目４７ｄとが対応付けられて表示されている。この場合、各機能１〜６は、実行回数の多い順に並べられている。
【００７４】
この機能選択画面４７を見ることにより、ユーザは、機能キー２７ｌに機能１が登録され、機能キー２７ｍに機能４が登録され、他の機能２，３，５，６は機能キーに登録されていない未設定状態であることがわかる。また、機能キー２７ｎは登録された機能が解除されて、いずれの機能も割り当てられていない状態であることがわかる。
【００７５】
このため、機能が登録されていない機能キー（この場合、機能キー２７ｎ）に、機能キーに登録されていない未設定の機能３を登録する場合、ユーザは、リモートコントローラ２７のカーソル上または下キー２７ｅ，２７ｆを操作して、項目４７ｂの中に記述されている「機能３」を選択した後、登録すべき機能キー２７ｎを操作する。これにより、機能キー２７ｎに機能３が登録されることになる。
【００７６】
また、機能が登録されている機能キー（例えば機能キー２７ｌ）から、機能１の登録を解除する場合、ユーザは、リモートコントローラ２７のカーソル上または下キー２７ｅ，２７ｆを操作して、項目４７ｂの中に記述されている「登録解除」を選択した後、登録を解除すべき機能キー２７ｌを操作する。これにより、機能キー２７ｌから機能１の登録が解除されることになる。
【００７７】
そして、このように、機能選択画面４７上で、機能キー２７ｌ〜２７ｎに対して機能の登録や解除が行なわれる毎に、それに対応して、図１９に示した登録管理テーブルの内容が更新されることになる。
【００７８】
図２１は、上記入力操作支援部２５ｃが機能選択画面４７を表示させて、機能キー２７ｌ〜２７ｎに対する機能の登録や解除を行なう処理動作をまとめたフローチャートを示している。すなわち、処理が開始（ステップＳ２１ａ）されると、入力操作支援部２５ｃは、ステップＳ２１ｂで、機能キー２７ｌ〜２７ｎへの機能の再登録が要求されたか否か、つまり、機能選択画面４７の表示が要求されたか否かを判別する。
【００７９】
そして、要求されていないと判断された場合（ＮＯ）、入力操作支援部２５ｃは、処理を終了（ステップＳ２１ｇ）する。また、上記ステップＳ２１ｂで機能キー２７ｌ〜２７ｎへの機能の再登録が要求されたと判断された場合（ＹＥＳ）、入力操作支援部２５ｃは、ステップＳ２１ｃで、映像表示部２２に機能選択画面４７を表示させる。
【００８０】
その後、入力操作支援部２５ｃは、ステップＳ２１ｄで、機能選択画面４７上からいずれかの機能が選択されたか否かを判別し、選択されたと判断された場合（ＹＥＳ）、ステップＳ２１ｅで、いずれかの機能キー２７ｌ〜２７ｎが操作されたか否かを判別し、操作されたと判断された場合（ＹＥＳ）、ステップＳ２１ｆで、選択された機能を操作された機能キーに登録して、処理を終了（ステップＳ２１ｇ）する。
【００８１】
なお、上記ステップＳ２１ｄで「登録解除」が選択され、上記ステップＳ２１ｅでいずれかの機能キー２７ｌ〜２７ｎが操作された場合には、上記ステップＳ２１ｆでは、その操作された機能キー２７ｌ〜２７ｎに対する機能の登録を解除するように処理することになる。
【００８２】
上記した実施の形態によれば、機能キー２７ｌ〜２７ｎに一旦登録した機能をライブラリとして保持しておき、機能キー２７ｌ〜２７ｎに再登録する際には、保持された機能の一覧から所望の機能を選択して機能キー２７ｌ〜２７ｎに再登録することができるようにしている。このため、再登録時に、最初の登録時と同じ操作を行なう必要をなくして操作の容易化を図り、ユーザにとっての取り扱いを便利にするようにしている。
【００８３】
また、各機能についてその実行回数をカウントしておき、ライブラリとして保持された機能の一覧を機能選択画面４７として表示する際、実行回数の多い順に各機能を一覧表示するようにしている。このため、ユーザの使用頻度の高い機能が上位に表示されるので、再登録時にユーザが機能を選択し易くなる。
【００８４】
ここで、上記した実施の形態では、被制御機器として映像記録再生機器１１を例に説明したが、これに限らず、この発明は、例えばテレビジョン放送受信機器やＰＣ等のようなＡＶ機器等に代表される電子機器に広く適用することができる。
【００８５】
また、上記した実施の形態では、被制御機器である映像記録再生機器１１が実行可能な各種の機能を、リモートコントローラ２７の機能キー２７ｌ〜２７ｎに登録することについて説明したが、これに限らず、この発明は、被制御機器が実行可能な各種の機能を、その被制御機器本体に設置された操作キーに登録する場合でも適用することができる。
【００８６】
例として、図２２（ａ）に示すような携帯電話４８の本体に複数（図示の場合は３つ）の機能キー４８ａ，４８ｂ，４８ｃを設けておき、携帯電話４８が実行可能な各種の機能を、機能キー４８ａ〜４８ｃに登録する場合を考える。例えば、図２２（ｂ）に示すように機能キー４８ａにメール作成機能を登録し、図２２（ｃ）に示すように機能キー４８ｂに情報検索機能を登録し、図２２（ｄ）に示すように機能キー４８ｃにアプリケーション起動機能を登録している。
【００８７】
このような場合であっても、機能キー４８ａ〜４８ｃに一旦登録した機能をライブラリとして保持しておき、再登録時には、保持された機能の一覧から所望の機能を選択して機能キー４８ａ〜４８ｃに再登録することができるようになる。
【００８８】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【符号の説明】
【００８９】
１１…映像記録再生機器、１２…アンテナ、１３…入力端子、１４…チューナ部、１５…復調復号部、１６…信号処理部、１７…グラフィック処理部、１８…音声処理部、１９…ＯＳＤ信号生成部、２０…映像処理部、２１…出力端子、２２…映像表示部、２３…出力端子、２４…スピーカ、２５…制御部、２５ａ…ＣＰＵ、２５ｂ…メモリ部、２５ｃ…入力操作支援部、２６…操作部、２７…リモートコントローラ、２７ｌ〜２７ｎ…機能キー、２８…受信部、２９…ディスクドライブ部、３０…光ディスク、３１…記録再生処理部、３２…ＨＤＤ、３２ａ…ハードディスク、３３…入力端子、３４…機能登録画面、３５…登録方法選択画面、３６…テンプレート１選択画面、３７…機能画面、３８…カスタマイズ１選択画面、３９…サブ機能選択画面、４０…機能画面、４１…オプション選択画面、４２〜４４…機能画面、４５ａ〜４５ｄ…項目、４６ａ〜４６ｆ…項目、４７…機能選択画面、４８…携帯電話、４８ａ〜４８ｃ…機能キー。
【図１】
2011061625.tif 000003
【図２】
2011061625.tif 000004
【図３】
2011061625.tif 000005
【図４】
2011061625.tif 000006
【図５】
2011061625.tif 000007
【図６】
2011061625.tif 000008
【図７】
2011061625.tif 000009
【図８】
2011061625.tif 000010
【図９】
2011061625.tif 000011
【図１０】
2011061625.tif 000012
【図１１】
2011061625.tif 000013
【図１２】
2011061625.tif 000014
【図１３】
2011061625.tif 000015
【図１４】
2011061625.tif 000016
【図１５】
2011061625.tif 000017
【図１６】
2011061625.tif 000018
【図１７】
2011061625.tif 000019
【図１８】
2011061625.tif 000020
【図１９】
2011061625.tif 000021
【図２０】
2011061625.tif 000022
【図２１】
2011061625.tif 000023
【図２２】
2011061625.tif 000024
【手続補正書】
【提出日】平成22年5月31日(2010.5.31)
【手続補正１】
【補正対象書類名】明細書
【補正対象項目名】０００７
【補正方法】変更
【補正の内容】
【０００７】
すなわち、この発明に係る入力操作支援装置は、制御すべき機器の機能を操作キーに登録し、操作キーが操作されたとき操作されたキーに登録された機能を実行することを機器に許可するものを対象としている。そして、操作キーに少なくとも１度登録された機能を示す情報を保持する保持手段と、保持手段の情報に基づいて操作キーに登録された機能の一覧を表示する表示手段と、表示された機能の一覧から操作キーに登録すべき機能を選択させる入力表示に応じて操作キーに機能を再登録する機能再登録支援手段とを備えるようにしたものである。
【手続補正２】
【補正対象書類名】明細書
【補正対象項目名】０００８
【補正方法】変更
【補正の内容】
【０００８】
また、この発明に係る入力操作支援方法は、制御すべき機器の機能を操作キーに登録し、操作キーが操作されたとき操作されたキーに登録された機能を実行することを機器に許可する方法を対象としている。そして、操作キーに少なくとも１度登録された機能を示す情報を保持し、保持された情報に基づいて操作キーに登録された機能の一覧を表示し、表示された機能の一覧から操作キーに登録すべき機能を選択させる入力表示に応じて操作キーに機能を再登録するようにしたものである。
【手続補正３】
【補正対象書類名】特許請求の範囲
【補正対象項目名】全文
【補正方法】変更
【補正の内容】
【特許請求の範囲】
【請求項１】
制御すべき機器の機能を操作キーに登録し、前記操作キーが操作されたとき操作されたキーに登録された機能を実行することを前記機器に許可するための入力操作支援装置であって、
前記操作キーに少なくとも１度登録された機能を示す情報を保持する保持手段と、
前記保持手段の情報に基づいて前記操作キーに登録された機能の一覧を表示する表示手段と、
表示された機能の一覧から前記操作キーに登録すべき機能を選択させる入力表示に応じて前記操作キーに機能を再登録する機能再登録支援手段とを具備することを特徴とする入力操作支援装置。
【請求項２】
前記表示は、前記操作キーに対する機能の現在の登録状態を表示することを特徴とする請求項１記載の入力操作支援装置。
【請求項３】
前記表示は、機能の一覧に機能の実行回数を表示することを特徴とする請求項１記載の入力操作支援装置。
【請求項４】
前記表示は、実行回数の多い順に機能を一覧表示することを特徴とする請求項１記載の入力操作支援装置。
【請求項５】
前記表示は、機能と前記操作キーとを非登録にするための項目を表示することを特徴とする請求項１記載の入力操作支援装置。
【請求項６】
前記表示は、機能の一覧に機能の実行回数を表示し、機能の実行回数は、所定期間変更なく維持されたとき所定の値に設定されることを特徴とする請求項１記載の入力操作支援装置。
【請求項７】
前記表示は、所定期間変更されない機能の実行回数を、機能の実際の実行回数よりも少ない値に変更することを特徴とする請求項６記載の入力操作支援装置。
【請求項８】
前記保持手段は、機能の名称と、機能に対応する機能画面を表示させるための情報の記録先を示すアドレスと、機能の実行回数とを保持することを特徴とする請求項１記載の入力操作支援装置。
【請求項９】
制御すべき機器の機能を操作キーに登録し、前記操作キーが操作されたとき操作されたキーに登録された機能を実行することを前記機器に許可する入力操作支援方法であって、
前記操作キーに少なくとも１度登録された機能を示す情報を保持し、
保持された情報に基づいて前記操作キーに登録された機能の一覧を表示し、
表示された機能の一覧から前記操作キーに登録すべき機能を選択させる入力表示に応じて前記操作キーに機能を再登録することを特徴とする入力操作支援方法。
【手続補正書】
【提出日】平成22年8月30日(2010.8.30)
【手続補正１】
【補正対象書類名】明細書
【補正対象項目名】０００７
【補正方法】変更
【補正の内容】
【０００７】
すなわち、この発明に係る入力操作支援装置は、制御すべき機器の機能を操作キーに登録し、操作キーを操作してその登録された機能を機器に実行させるものを対象としている。そして、操作キーに少なくとも１度登録された機能を示す情報を保持する保持手段と、保持手段の情報に基づいて操作キーに登録された機能の一覧を表示する表示手段と、表示された機能の一覧から操作キーに登録すべき機能を選択させる入力表示に応じて操作キーに機能を再登録する機能再登録支援手段とを備えるようにしたものである。
【手続補正２】
【補正対象書類名】明細書
【補正対象項目名】０００８
【補正方法】変更
【補正の内容】
【０００８】
また、この発明に係る入力操作支援方法は、制御すべき機器の機能を操作キーに登録し、操作キーを操作してその登録された機能を機器に実行させる方法を対象としている。そして、操作キーに少なくとも１度登録された機能を示す情報を保持し、保持された情報に基づいて操作キーに登録された機能の一覧を表示し、表示された機能の一覧から操作キーに登録すべき機能を選択させる入力表示に応じて操作キーに機能を再登録するようにしたものである。
【手続補正３】
【補正対象書類名】特許請求の範囲
【補正対象項目名】全文
【補正方法】変更
【補正の内容】
【特許請求の範囲】
【請求項１】
制御すべき機器の機能を操作キーに登録し、前記操作キーを操作してその登録された機能を前記機器に実行させる入力操作支援装置であって、
前記操作キーに少なくとも１度登録された機能を示す情報を保持する保持手段と、
前記保持手段の情報に基づいて前記操作キーに登録された機能の一覧を表示する表示手段と、
表示された機能の一覧から前記操作キーに登録すべき機能を選択させる入力表示に応じて前記操作キーに機能を再登録する機能再登録支援手段とを具備することを特徴とする入力操作支援装置。
【請求項２】
前記表示は、前記操作キーに対する機能の現在の登録状態を表示することを特徴とする請求項１記載の入力操作支援装置。
【請求項３】
前記表示は、機能の一覧に機能の実行回数を表示することを特徴とする請求項１記載の入力操作支援装置。
【請求項４】
前記表示は、実行回数の多い順に機能を一覧表示することを特徴とする請求項１記載の入力操作支援装置。
【請求項５】
前記表示は、機能と前記操作キーとを非登録にするための項目を表示することを特徴とする請求項１記載の入力操作支援装置。
【請求項６】
前記表示は、機能の一覧に機能の実行回数を表示し、機能の実行回数は、所定期間変更なく維持されたとき所定の値に設定されることを特徴とする請求項１記載の入力操作支援装置。
【請求項７】
前記表示は、所定期間変更されない機能の実行回数を、機能の実際の実行回数よりも少ない値に変更することを特徴とする請求項６記載の入力操作支援装置。
【請求項８】
前記保持手段は、機能の名称と、機能に対応する機能画面を表示させるための情報の記録先を示すアドレスと、機能の実行回数とを保持することを特徴とする請求項１記載の入力操作支援装置。
【請求項９】
制御すべき機器の機能を操作キーに登録し、前記操作キーを操作してその登録された機能を前記機器に実行させる入力操作支援方法であって、
前記操作キーに少なくとも１度登録された機能を示す情報を保持し、
保持された情報に基づいて前記操作キーに登録された機能の一覧を表示し、
表示された機能の一覧から前記操作キーに登録すべき機能を選択させる入力表示に応じて前記操作キーに機能を再登録することを特徴とする入力操作支援方法。